(57)【要約】【課題】立上排水管に対する接続が容易で、また、取り外しも容易な洗濯機用防水パンの設置構造を提供する。【解決手段】トラップ６を備えた洗濯機用防水パン５であって、トラップ６の底面に、下方側から立ち上げられた立上排水管９の上端が差し込まれて接続される接続部７が設けられている。【選択図】図２
2007224667.tif 000002
【特許請求の範囲】
【請求項１】
トラップを備えた洗濯機用防水パンであって、前記トラップの底面に、下方から立ち上げられた配管の上端が差し込まれて接続される接続部が設けられていることを特徴とする洗濯機用防水パンの設置構造。
【請求項２】
トラップの外ケースが洗濯機用防水パンの底面に一体形成され、該外ケースの底面に同心円状の内筒部と外筒部が垂設され、該内筒部の外周と外筒部の内周間に前記配管の上端が差し込み接続されるように構成した請求項１に記載の洗濯機用防水パンの設置構造。
【発明の詳細な説明】
【技術分野】
【０００１】
本発明は、洗濯機用防水パンの設置構造に関するものである。
【背景技術】
【０００２】
従来、特許文献１に開示されているように、洗濯機用防水パンの穴内に、上方から排水トラップを入れて、排水トラップの下端部を、下方から立ち上げられた排水管の上端に螺合させて接続した構造が存在する。
【特許文献１】特開平９−１２５６７５号公報
【発明の開示】
【発明が解決しようとする課題】
【０００３】
上記特許文献１の構造では、配管作業及び点検をする時、洗濯機防水パンを着脱する際に、洗濯機防水パンに設けた排水トラップを排水管に螺合させる必要があり、着脱の施工がし辛いという問題点があった。
【課題を解決するための手段】
【０００４】
本発明は上記従来の問題点に鑑み案出したものであって、容易に配管に接続させることができ、また取り外しも容易な洗濯機用防水パンの設置構造を提供するものであり、その請求項１は、トラップを備えた洗濯機用防水パンであって、前記トラップの底面に、下方から立ち上げられた配管の上端が差し込まれて接続される接続部が設けられていることである。
【０００５】
また、請求項２は、トラップの外ケースが洗濯機用防水パンの底面に一体形成され、該外ケースの底面に同心円状の内筒部と外筒部が垂設され、該内筒部の外周と外筒部の内周間に前記配管の上端が差し込み接続されるように構成したことである。
【発明の効果】
【０００６】
本発明は、トラップを備えた洗濯機用防水パンであって、前記トラップの底面に、下方から立ち上げられた配管の上端が差し込まれて接続される接続部が設けられていることにより、洗濯機用防水パンを配管に向かって降ろしてゆき、トラップの底面の接続部を配管の上端に良好且つ容易に接続することができ、洗濯機用防水パンの設置が極めて容易に行え、また洗濯機用防水パンの取り外しも、上方へ持ち上げることで容易に行えるものとなる。
【０００７】
また、トラップの外ケースが洗濯機用防水パンの底面に一体形成され、該外ケースの底面に同心円状の内筒部と外筒部が垂設され、該内筒部の外周と外筒部の内周間に前記配管の上端が差し込み接続されるように構成したことにより、洗濯機用防水パンを下方へ降ろしてゆくことで、配管の上端が内筒部と外筒部間に差し込まれてゆき、接続を極めて容易に行うことができ、また防水パンを上方へ持ち上げることで、容易に配管から洗濯機用防水パンを取り外すことができるものとなる。
【実施例】
【０００８】
以下、本発明の実施例を図面に基づいて説明する。
図１は、洗濯機用防水パンの配置構成図であり、浴室１の隣の脱衣室３の床面には作業口４が開口されており、この作業口４に、洗濯機を載せることのできる洗濯機用防水パン５が着脱可能に取り付けられるものである。
【０００９】
図２は、洗濯機用防水パン５の設置状態の拡大縦断面構成図である。また図３は、洗濯機用防水パンに一体化されているトラップの部分の拡大縦断面構成図である。
図において、脱衣室３の床面は、床下地３ａ上に仕上材３ｂが敷設されて仕上げられており、開口されている作業口４にも、着脱可能に床下地３ａと仕上材３ｂが嵌め込まれている。なお、この作業口４の部分は、集合住宅では基礎１１上に設けられた土台１２で支えられており、また戸建住宅では根太１４により床下地３ａが支持されている。
【００１０】
この作業口４に嵌め込まれた床下地３ａと仕上材３ｂの上面に、洗濯機用防水パン５が載置されて設置されるものであるが、洗濯機用防水パン５の底面には一体状にトラップ６が形成されており、またトラップ６の底面には、下方側へ垂下状に接続部７が一体形成されている。
なお、作業口４内に嵌め込まれる床下地３ａおよび仕上材３ｂには、トラップ６を差し込むことのできる開口Ｋを予め形成させておき、開口Ｋ内にトラップ６を差し込んで、トラップ６を床下地３ａよりも下方側に配置させて設置できるものである。
【００１１】
なお、洗濯機用防水パン５の外周側には、上方へ一体状に立ち上げて内側立片５ａが形成され、内側立片５ａの上端から外側へ水平に延びて水平片５ｂが形成され、水平片５ｂの外端で垂下状に外側立片５ｃが一体形成されており、この外側立片５ｃの下面にパッキン材Ｐを嵌め込んで、このパッキン材Ｐを仕上材３ｂ上に押し付けて設置することができるものである。
なお、洗濯機用防水パン５が設置される前に、予め立上排水管９が作業口４の下方に立上状に施工されており、この立上排水管９は、例えば基礎１１に固定金具１３を介して固定させておくことができるものである。
【００１２】
洗濯機用防水パン５の底面に一体形成されたトラップ６は、図３の拡大図で示すように、外ケース６ａが円筒状に垂設され、外ケース６ａの上面は開放されて、その外周が一段低い段部６ｂとなっており、また、外ケース６ａの底側には底面６ｃが形成され、この底面６ｃから上方へ円筒状に立ち上げて立上筒部６ｄが一体形成されており、この立上筒部６ｄの上端には、ゴミを捕るためのメッシュ付きリング１０が着脱可能に取り付けられている。
【００１３】
また、接続部７は、立上筒部６ｄと連続して底面６ｃよりも更に下方側へ垂設された垂下内筒部７ａと、この垂下内筒部７ａの外側に間隔をおいて同心円状に底面６ｃから垂設された筒状の垂下外筒部７ｂで構成されており、この垂下外筒部７ｂの内周と垂下内筒部７ａの外周間に、例えば逆Ｕ字状断面のパッキン８を上端に取り付けた立上排水管９を差し込み状に接続できるものである。
即ち、トラップ６と接続部７が一体形成された洗濯機用防水パン５を、上方側から徐々に降ろしてゆき、既に立ち上げられている立上排水管９の上端を、垂下内筒部７ａと垂下外筒部７ｂの間に差し込み、洗濯機用防水パン５を降ろしながら容易に接続を完了することができるものである。
【００１４】
また、洗濯機用防水パン５を取り外す際には、上方へ持ち上げることにより、接続部７が立上排水管９の上端から外れて、容易に洗濯機用防水パン５を取り外すことができ、取り外した状態で作業口４から、下方側の立上排水管９等のメンテナンス等を極めて良好に行えるものとなる。
【００１５】
なお、洗濯機用防水パン５のトラップ６には、蓋１５が着脱可能に取り付けられるものであり、この蓋１５は、図４に平面図で、図５に縦断面構成図で示すような構造となっている。
即ち、蓋１５は、トラップ６の外ケース６ａの上面の段部６ｂに嵌め込まれる円板状に形成され、洗濯機用ホースが接続される洗濯機ホース接続部１５ａが上方へ一体状に立ち上げられ、洗濯機ホース接続部１５ａからズレた位置には、垂下状に円筒状のトラップ成型筒１５ｂが一体形成されている。
【００１６】
トラップ６に蓋１５が取り付けられた時には、トラップ成型筒１５ｂは、図３に示すように、立上筒部６ｄの外周を包囲するように外ケース６ａ内に垂設され、トラップ成型筒１５ｂの下端とトラップの底面６ｃ間には隙間が形成され、このトラップ成型筒１５ｂの下端と立上筒部６ｄの上端間で５０ｍｍの封水深が確保されて、トラップとして機能できるように構成されている。
【００１７】
なお、蓋１５の外周にはパッキン１６が外嵌されており、このパッキン１６が段部６ｂに当接して、隙間なく蓋１５がトラップ６の上面に面一状に覆設されるものであり、蓋１５には複数の排水流入孔１５ｃ，１５ｃ，１５ｃが形成されており、この排水流入孔１５ｃ，１５ｃ，１５ｃを通り、洗濯機用防水パン５上の排水がトラップ６内に流入されて、トラップ成型筒１５ｂの下端と底面６ｃ間を通り、立上筒部６ｄの上端から垂下内筒部７ａを通り、立上排水管９に排水されるものである。なお、この時に、メッシュ付きリング１０でゴミ等が捕集されることとなる。
なお、メッシュ付きリング１０は、蓋１５を取り外して、適宜上方へ取り外し掃除することができるものである。
【００１８】
なお、図６は変更例を示すものであり、図６では、接続部７の部分の縦断面を拡大して示しており、接続部７を構成する垂下外筒部７ｂの下端に内側へ水平状に突出して爪片７ｃが一体形成されており、この爪片７ｃで脱落を防いで、予め垂下外筒部７ｂの内側にパッキン８を嵌め込んでおき、このパッキン８で、差し込まれる立上排水管９の上端外周を良好にシールできるように構成したものである。
【００１９】
パッキン８は、本例ではトラップ６の底面６ｃの底側に当接する上面片８ａと、上面片８ａから垂下状に一体形成された円筒状の外周筒片８ｂを備え、外周筒片８ｂの内側には、上下方向に間隔をおいて複数のリップ片８ｃが略水平状に内側に向かって突出形成されており、この複数のリップ片８ｃの内端が立上排水管９の上端側の外周面に当接して、確実なシール性が確保されるように構成されている。
【００２０】
このような構成では、予め接続部７内にパッキン８を嵌め込んでおき、その状態で洗濯機用防水パン５を上方側から徐々に降ろして、立上排水管９の上端をパッキン８の内側と垂下内筒部７ａの外周間に差し込んで、確実にリップ片８ｃを立上排水管９の外周面に当接させることができ、接続作業が極めて容易で確実なシール性が確保されるものとなる。
【図面の簡単な説明】
【００２１】
【図１】洗濯機用防水パンの配置状態を示す斜視構成図である。
【図２】洗濯機用防水パンを設置した状態の縦断面拡大構成図である。
【図３】更に洗濯機用防水パンのトラップ部分を拡大した縦断面構成図である。
【図４】トラップの上面に覆設される蓋の平面構成図である。
【図５】蓋の縦断面構成図である。
【図６】パッキンを変更させた接続状態の要部拡大縦断面構成図である。
【符号の説明】
【００２２】
３  脱衣室
３ａ  床下地
３ｂ  仕上材
４  作業口
５  洗濯機用防水パン
５ａ  内側立片
５ｂ  水平片
５ｃ  外側立片
６  トラップ
６ａ  外ケース
６ｂ  段部
６ｃ  底面
６ｄ  立上筒部
７  接続部
７ａ  垂下内筒部
７ｂ  垂下外筒部
７ｃ  爪片
８  パッキン
８ｂ  外周筒片
８ｃ  リップ片
９  立上排水管
１０  メッシュ付きリング
１５  蓋
１５ａ  洗濯機ホース接続部
１５ｂ  トラップ成型筒
１５ｃ  排水流入孔
１６  パッキン
Ｋ  開口
【図１】
2007224667.tif 000003
【図２】
2007224667.tif 000004
【図３】
2007224667.tif 000005
【図４】
2007224667.tif 000006
【図５】
2007224667.tif 000007
【図６】
2007224667.tif 000008